(57)【要約】テレビ番組とこれに対応するウェブコンテンツを同期して再生するシステムおよび方法を提供する。システムは、テレビ番組に対応したウェブコンテンツを提供するウェブサーバに接続する手段と、ユーザが選択したテレビ番組を記録する手段と、ユーザが選択したテレビ番組をウェブサーバから供給される対応のウェブコンテンツとともに格納する手段と、格納されたテレビ番組とウェブコンテンツをテレビ番組に呼応して同期再生する手段と、ユーザにより選択されたテレビ番組の記録要求を受信する制御手段とを備え、前記制御手段は、テレビ番組の記録開始を制御するとともに、当該テレビ番組に合わせて対応のウェブコンテンツの記録を開始するように前記記録手段を制御する。ユーザの要求に応じてシステムはウェブサーバに接続し、ユーザによって選択されたテレビ番組と、ウェブサーバからダウンロードされる対応のウェブコンテンツとを、後日の再生のために同期してメモリ媒体に格納する。
2004529588.tif 000002
【特許請求の範囲】
【請求項１】
テレビ放送事業者が放送するテレビ番組の記録方法であって、
ユーザが選択したテレビ番組を記録する記録要求を受信するステップと、
前記テレビ放送事業者のウェブサーバにウェブ接続するステップと、
前記テレビ番組に対応するウェブコンテンツをダウンロードするステップと、
前記ユーザが選択したテレビ番組と、前記ウェブサーバからダウンロードされたウェブコンテンツとをメモリに格納するステップと
を含むことを特徴とする記録方法。
【請求項２】
前記格納されたテレビ番組とウェブコンテンツとを、当該テレビ番組に合わせて同期再生するステップをさらに含むことを特徴とする請求項１に記載の方法。
【請求項３】
前記再生ステップは、前記格納されたテレビ番組と、これに対応してダウンロードされた前記ウェブコンテンツとを、前記メモリから検索するステップを含むことを特徴とする請求項２に記載の記録方法。
【請求項４】
前記格納ステップは、前記ユーザが選択したテレビ番組と前記ウェブサーバからのウェブコンテンツを、当該テレビ番組に合わせて同期して格納するステップを含むことを特徴とする請求項１に記載の記録方法。
【請求項５】
前記ユーザが選択したテレビ番組とこれに対応するウェブコンテンツとにタイムスタンプを押すことによって前記同期をとることを特徴とする請求項３に記載の記録方法。
【請求項６】
前記テレビ番組は、ケーブル、衛星、アンテナから成るグループのいずれかから受信されることを特徴とする請求項１に記載の記録方法。
【請求項７】
前記テレビ放送事業者は、前記ユーザと前記テレビ放送事業者のウェブサーバとの間にインタラクティブな機能を提供するプロキシまたは非関連の実体を含むことを特徴とする請求項１に記載の記録方法。
【請求項８】
テレビ番組と、テレビ放送事業者のウェブサーバから提供される対応するウェブコンテンツとを同期再生する方法であって、
入力手段を介して前記テレビ番組の記録要求を送信するステップと、
前記テレビ放送事業者のウェブサーバに自動的にウェブ接続するステップと、
前記テレビ番組と前記ウェブサーバのウェブコンテンツとを、当該テレビ番組に合わせて同期してメモリに格納するステップと、
前記入力手段を介して、前記格納されたテレビ番組の再生要求を受信するステップと、
前記格納されたテレビ番組を再生し、同時に、このテレビ番組に対応して格納された前記ウェブコンテンツを表示するステップと
を含む同期再生方法。
【請求項９】
前記再生ステップは、前記格納されたテレビ番組とこれに対応してダウンロードされた前記ウェブコンテンツとを、前記メモリから検索するステップを含むことを特徴とする請求項８に記載の方法。
【請求項１０】
前記ユーザが選択したテレビ番組とこれに対応するウェブコンテンツとにタイムスタンプを押すことによって、前記同期がとられることを特徴とする請求項８に記載の方法。
【請求項１１】
前記テレビ番組は、ケーブル、衛星、アンテナから成るグループのいずれかから受信されることを特徴とする請求項８に記載の方法。
【請求項１２】
前記テレビ放送事業者は、前記ユーザと前記テレビ放送事業者のウェブサーバとの間にインタラクティブな機能を提供するプロキシまたは非関連の実体を含むことを特徴とする請求項８に記載の記録方法。
【請求項１３】
テレビ番組とこれに対応するウェブコンテンツとを同期して再生する装置であって、
前記対応するウェブコンテンツを提供するサーバに接続する手段と、
前記テレビ番組および対応するウェブコンテンツを格納するメモリと、
前記格納されたテレビ番組とこれに対応するウェブコンテンツとを同期して再生する手段と
を備える同期再生装置。
【請求項１４】
前記格納されたテレビ番組とこれに対応するウェブコンテンツとを表示する手段をさらに備えることを特徴とする請求項１３に記載の装置。
【請求項１５】
前記テレビ番組とウェブコンテンツとを、当該テレビ番組に合わせて同期させる手段をさらに備えることを特徴とする請求項１３に記載の装置。
【請求項１６】
前記同期は、前記テレビ番組とウェブコンテンツとに、当該テレビ番組に合わせてタイムスタンプを押すことによって実現されることを特徴とする請求項１３に記載の装置。
【請求項１７】
前記テレビプログラムは、ケーブル、衛星、アンテナから成るグループのいずれかから受信されることを特徴とする請求項１３に記載の装置。
【請求項１８】
前記テレビ番組の格納要求を受信するコントローラをさらに備え、当該コントローラは、前記テレビ番組とこれに対応するウェブコンテンツの格納を開始するように前記メモリを制御することを特徴とする請求項１３に記載の装置。
【発明の詳細な説明】
【技術分野】
【０００１】
本発明は、パーソナルビデオレコードシステムに関し、特に、同時配信される対応のエンハンスドＴＶウェブプログラムを有するテレビ放送番組を、時間を変えて表示する方法および装置に関する。
【背景技術】
【０００２】
インターネットなどのコンピュータ化された情報源の発達により、ユーザは種々のサーバと通信して、通常の電子媒体では利用できない電子情報を検索することができるようになった。サーバは、一般にインターネットを介してアクセス可能な遠隔のコンピュータシステムである。サーバの機能は、ユーザの要求に応じて情報ソースを走査し、検索することにあり、電子情報がハイパーテキストの形式でユーザに提示される。ハイパーテキストでは、テキスト、画像、音声、動きが互いに複合的にリンクされており、ユーザは関連するトピックを順次閲覧することができる。
ユーザ（あるいはクライアント）は、ハイパーテキスト・トランスファ・プロトコル（ＨＴＴＰ）で定義される機能を用いて、サーバにリンクする。クライアント装置は、「ブラウザ」機能を有する。ブラウザを介してサーバにリンクが設定され、ＨＴＴＰ応答（ウェブページ）の形式で情報がユーザに提示される。ワールドワイドウェブ（ＷＷＷ）は、ＨＴＴＰプロトコルに従うすべてのサーバを含み、各サーバはＵＲＬによってユーザ（あるいはクライアント）からのアクセスが可能である。特定のＵＲＬによりインターネットサービスへのアクセスが可能になる。ＵＲＬは２つの基本要素、すなわち使用されるプロトコルと、オブジェクトのパスネームとで構成される。たとえば、http://www.hbc.comというＵＲＬアドレスは、ハイパーテキスト・トランスファ・プロトコル（“http”）と、サーバのパスネーム（www.nbc.com）を特定する。サーバ名は、固有の数値（ＴＣＰ／ＩＰアドレス）と対応付けられる。
【０００３】
提供される電子情報の一形式として、エンハンスドＴＶが普及しつつある。エンハンスドＴＶでは、特定のウェブページのコンテンツがテレビ放送番組に同期される。たとえば、マンデーナイト・フットボール（Monday  Night  Football）という番組に関連するＡＢＣ．ＣＯＭのウェブサイトのページは、「ＡＢＣ放送のマンデーナイト・フットボール」の放送中にのみアクティブになる。フットボールの試合中、すべてのユーザはＡＢＣ．ＣＯＭのサイトで「マンデーナイト・フットボール・エンハンスドＴＶページ」をブラウズ（閲覧）して、次の試合でオフェンスはどんなプレイをするかを予想できる。視聴者からの予測は次の試合が始まるまでに回収され、試合が終わると、答えが記録されて、スコアが更新される。最も正確に試合を予測した上位１０人のリストが表示される。ウェブゲームと実際の試合との同期は、ＡＢＣ．ＣＯＭのスタッフが試合を見ながらＷＥＢ最新情報を配信することで行われる。
【０００４】
しかし、ユーザが特定のテレビ番組を録画して、後で見ようとする場合には、テレビ放送事業者のウェブページで同時配信されているエンハンスメントプログラムに参加することができない。したがって、テレビ放送番組とこれに対応するウェブページとを同期して再生する技術への要望が生じる。
[発明の開示]
本発明は、録画されたテレビ番組とこれに対応するウェブ同時配信のエンハンスドプログラムを同期して再生する方法および装置に関する。
【０００５】
本発明では、テレビ放送事業者が放送するテレビ番組と、このテレビ放送事業者のサーバから同時配信される対応のウェブコンテンツを記録、再生する方法を提供する。この方法は、ユーザが選択したテレビ番組の記録要求を受信するステップと、テレビ放送事業者のウェブサーバにウェブ接続するステップと、前記テレビ番組に応じてウェブコンテンツをダウンロードするステップと、前記ユーザによって選択されたテレビ番組と前記ウェブサーバからダウンロードされたウェブコンテンツとを後の再生用にメモリに格納するステップとを含む。
【０００６】
本発明はまた、テレビ番組とこれに対応するウェブコンテンツとを同期再生することのできる装置を提供する。同期再生装置は、前記テレビ番組に対応するウェブコンテンツを提供するウェブサーバにウェブ接続する手段と、ユーザによって選択されたテレビ番組を記録する手段と、前記ユーザによって選択されたテレビ番組とウェブサーバからの対応するウェブコンテンツとを格納する手段と、前記格納されたテレビ番組とウェブコンテンツとを、テレビ番組に同期させて再生する手段と、前記ユーザによって選択されたテレビ番組の記録要求を受信して、前記ウェブコンテンツの記録を前記テレビ番組に同期させて開始する制御手段とを備える。
【０００７】
本発明のその他の特徴および効果は、以下で添付図面を参照して述べる詳細な説明によって明確になるものである。
【発明を実施するための最良の形態】
【０００８】
以下の説明では、本発明のより完全な理解のために、具体的な構成、インターフェイス、技術等に基づいて、特定の例を詳細に述べるが、これは本発明を限定するものではなく例示にすぎないことを理解されたい。当業者にとって、このような詳細な例示以外にも、本発明を実現するその他の実施形態が可能であることは明白である。また、周知のデバイス、回路、方法に関する不必要に詳細な説明は発明を不明確にするので、明確化のために省略するものとする。
【０００９】
図１は、本発明の第１実施形態に係るシステムの概略図であり、特定のテレビ放送番組と、これに対応するウェブページのコンテンツとを同期再生するシステム構成を示す。図示される実施形態では、パーソナルビデオレコーダ（ＰＶＲ）１０は、一般のテレビ放送装置８からテレビ番組を受信して、受信シタテレビ番組をテレビセット２で表示する。ＰＶＲ１０は、パーソナルコンピュータシステム４にも接続される。パーソナルコンピュータ４は、通常のコンピュータシステムを用いて実現され、特定のウェブサーバ６からインターネットコンテンツを受信する。動作モードでは、ＰＶＲ１０は、ユーザが選択したテレビ番組を記録し、同時にコンピュータシステム４を起動して、このテレビ番組に対応する「エンバンスドプログラム」を提供するウェブサーバにウェブ接続させる。ウェブ接続は、インタラクティブ機能を有するプロキシサーバまたは非関連の第三者のサーバに対して行われてもよい。「エンハンスドプログラム」とは、簡単に言うと、特定のサーバから配信され、多様なインタラクティブルウェブプログラムへのユーザ参加を可能にするウェブコンテンツである。記録後、再生モードでは、録画されたテレビ番組と、このテレビ番組と同時配信された「エンハンスドプログラム」の双方を同期して再生する。これにより、ユーザはビデオに録画されたテレビ番組に対しても、インタラクティブに参加することができる。
【００１０】
図２は、図１の第１実施形態におけるＰＶＲ１０の配置例を示す図である。図２に示すように、ＰＶＲ１０は、ケーブルサービスプロバイダ、衛星アンテナ、一般のＲＦ放送アンテナなど、種々の媒体からテレビ番組のストリームを受信する。本発明におけるＰＶＲ１０の機能は、特定のテレビ放送事業者（たとえばＡＢＣ（登録商標）テレビ）から送信される所望のテレビ番組（たとえば「マンデーナイト・フットボール」）を、同じ放送事業者のウェブサーバから同時配信されるウェブコンテンツとともに記録する。これにより、録画した番組を放送事業者のサーバから配信される関連のウェブコンテンツと一緒に、後日再生することが可能になる。すなわち、視聴者が録画した番組を後に再生して見る場合でも、放送事業者のサーバから提供される種々のプログラムを楽しむことができる。
【００１１】
これを実現するために、ＰＶＲ１０は、コンピュータシステム４を起動して放送事業者のウェブサーバ６に接続させ、ユーザが選択したテレビ番組の録画中に、対応するウェブページのコンテンツも記録する。これにより、所望のテレビ番組にウェブコンテンツを同期させてＰＶＲ１０に記録することができる。コンピュータシステム４によってダウンロードされたウェブコンテンツは、ユーザ指定の、またはＰＶＲ１０が生成するファイル名が付けられて、メモリ媒体に格納される。テレビ番組に対応するウェブコンテンツの格納場所は、ＰＶＲ１０の内部でもよいし、コンピュータシステム４の中でもよい。記録されるテレビ番組とこれに対応するウェブコンテンツには、後の再生用にタイムスタンプが押され、同期位置が付加される。その後、ＰＶＲ１０は格納されたテレビ番組とこれに関連するウェブコンテンツを記憶媒体から検索し、時間シフト再生モードでこれらを再同期させる。
【００１２】
図３は、本発明の実施形態に係るＰＶＲ１０の構成例を示す図である。ＰＶＲ１０は、入力インターフェイス（たとえばＩＲセンサ）１２、ＭＰＥＧ２エンコーダ１４、ハードディスクドライブ１６、ＭＰＥＧ２デコーダ１８、コントローラ２０、ＰＣインターフェイス２２、ビデオプロセッサ２４、メモリ２６、再生部２８を有する。ＭＰＥＧエンコーダ／デコーダは、ＭＰＥＧ−１，ＭＰＥＧ−２、ＭＰＥＧ−４，ＭＰＥＧ−７など、その他のＭＰＥＧ規格のものでもよい。コントローラ２０は、検出装置１０の全体の動作、すなわち視聴モード、記録モード、再生モード、パーソナルビデオレコーダに一般的なその他のモードを制御する。
【００１３】
視聴モードでは、コントローラ２０はケーブルサービスプロバイダから到来する信号を変調し、ビデオプロセッサ２４でテレビセット２での表示用に処理する。ビデオプロセッサ２４は、入力信号に基づいてユーザが選択したチャンネルに合わせ、選択された信号をテレビセット２での表示に適したベースバンドテレビ信号に変換する。到来信号はディジタル信号でもアナログ信号でも、ＩＰ（インターネットプロトコル）パケットでもよい。通常の記録モードでは、コントローラはＭＰＥＧ２エンコーダ１４に、衛星、ケーブル、テレビ放送アンテナなどから送られてくる入力テレビ信号を受信させ、受信したテレビ信号を、ハードディスクドライブ１６への格納用にＭＰＥＧフォーマットに変換させる。通常の再生モードでは、コントローラ２０は、記録されたテレビ信号のストリームをハードディスクドライブ１６からＭＰＥＧ２デコーダへ送る。ＭＰＥＧ２デコーダは、復号したＴＶ信号を、再生部２８を介してテレビセット２に送信する。
【００１４】
ユーザが、時間を変えて再生するために、特定のテレビ番組を関連するウェブコンテンツとともに記録する記録要求を出すと、コントローラ２０は、ユーザがテレビ放送装置８から選択した番組をメモリ２６に格納する。記録要求信号は、リモートコントロール装置（不図示）のボタンで送ることができる。同時に、コントローラ２０は、ＰＣ４の閲覧ソフト（ウェブブラウザ）に要求信号を送り、同じテレビ放送事業者のサーバにウェブ接続させて、このサーバから配信されるウェブ情報をダウンロードさせる。そして、ダウンロードされたウェブコンテンツをＰＶＲ１０のメモリ２６に格納する。ウェブコンテンツはＰＣ４に格納してもよい。本発明の実施形態では、商業的または公的に利用可能な任意のブラウザを多様な態様で用いることができ、たとえばＮｅｔｓｃａｐｅ（ネットスケープ社の登録商標）を用いて、ＨＴＴＰで特定される機能を実行することができる。
【００１５】
メモリ２６に格納する前に、記録対象であるテレビ番組とダウンロードされたウェブコンテンツにタイムスタンプが押される。これにより、２つの種類の情報が、後に再同期されて表示される。後日、ユーザが録画されたテレビ番組を同時配信のインターネットコンテンツと一緒に再生したい場合は、コントローラは、再生部２８に、テレビ番組および関連のインターネットコンテンツをメモリ２６から検索させる。このとき、ＰＣ４はテレビコンテンツからタイムスタンプを抽出することによって、放送事業者のウェブサーバの役割を果たす。テレビ番組のタイムスタンプを受け取ると、ＰＣ４は同じタイムを有するウェブコンテンツをメモリ２６から引き出す。ＰＣ４は、検索したウェブコンテンツをＰＣ４上で走っているブラウザに渡して再生する。
【００１６】
図４は、図１に示すコンピュータシステム４のハードウェア構成を示す図である。基本的に、コンピュータシステム４は、一般的なマイクロプロセッサなどで構成される中央演算処理装置（ＣＰＵ）４５と、バス５０を介して相互接続される多数のユニットとを有する。すなわち、ＲＯＭ４６、表示ユニット４４、ＰＶＲ１０をコンピュータシステム１０に接続するためのＰＶＲアダプタ４８、ＲＡＭ４７、インターネットとのインターフェイスを取る通信アダプタ４９、そしてコンピュータシステム４全体の動作を制御するコントローラ４２を有する。ＰＶＲ１０から特定のインターネットコンテンツのダウンロード要求を受け取ると、コンピュータシステム４は、要求されたコンテンツをダウンロードし、それをＰＶＲ１０に転送する。なお、図３に示すハードウェア構成は、アプリケーションに応じて変更され得る。
【００１７】
図５は、本発明の良好な実施形態にしたがって、テレビ番組と、これに関連するウェブコンテンツとを検出、格納する処理を示すフローチャートである。ステップ１００で、ＰＶＲ１０は、ケーブルサービスプロバイダ、アンテナ、サテライトサービスなどから到来する信号を受信する。ステップ２００で、特定のテレビ番組と、これに同期して同時配信される対応のエンハンスドＴＶウェブプログラムとを記録する記録要求をユーザから受け取ると、ＰＶＲ１０は、特定のウェブ配信のすべてのイベントおよびコンテンツをキャッシュ（記録）するために、ＰＣに信号を送り起動する。あるいは、周知のＥＰＧ（電子番組表）プロトコルを用いて、インターネットコンテンツのダウンロード要求を自動的にプログラムしてもよい。ＥＰＧ（電子番組表）は、視聴者に対して、ディジタルＴＶ環境で利用される放送マテリアルのナビゲーションとその選択を支援するために設計された標準アプリケーションである。ＥＰＧは各番組についての情報を規定し、チャンネル番号、番組タイトル、放送の開始時間、終了時間、継続時間、残り時間、速度（可能ならば）、トピック、テーマ、番組内容の概要などの番組特性を含む。ＰＶＲ１０はＥＰＧ機能を用いてプログラムされる。すなわち、到来信号が特定のテレビ番組に対応するエンハンスドＴＶウェブの同時配信があることを示す場合に、ＰＶＲ１０は自動的にＰＣ４のブラウザを起動して、特定のウェブサーバからインターネットコンテンツをダウンロードし、格納するようにプログラムされる。
【００１８】
次にステップ３００で、ＰＶＲ１０はテレビ放送とウェブコンテンツを記録し、正確な時間をタイムスタンプする。これを行うために、ＰＣ４はウェブコンテンツの同時配信を行っているサイトへのウェブ接続を開始する。ウェブ接続は、ユーザインタラクションのエミュレートを含んでもよい。接続後、コンテンツを構成する各イベントまたは断片が到来するごとにタイムスタンプを付して、関連するコンテンツのすべてのイベントを記録する。記録セッションが終了すると、ＰＶＲ１０はＰＣ４に信号を送って記録を停止し、すべての情報を特定のファイルに保存する。保存された情報は、ＰＶＲ１０のメモリ２６またはＰＣ４の記憶媒体に格納される。
【００１９】
次にステップ４００で、記録された放送番組をユーザが見たい場合に、ＰＶＲ１０は再生コマンドとファイル名をＰＣ４に送り、ユーザによって選択された番組の再生を開始する。ＰＶＲ１０は開始クロック情報を送り、記録されたウェブコンテンツの同期を取る。格納されたウェブコンテンツは、ＰＶＲ１０によって開始される再生クロックでＰＣのブラウザに転送される。クロック情報を用いることによって、ＰＶＲ１０は記録されたテレビ番組とウェブコンテンツの間の同期を失うことなく、ユーザによる早送り、停止、巻き戻し、再生スローモーションの操作を許可することができる。また、ＰＶＲ１０に格納された放送番組を消去する際にＰＣ４に信号を送って、対応するウェブコンテンツを消去できる。
【００２０】
図６は、本発明の第２実施形態を示す。第２実施形態では、ＰＶＲ１０は、放送されるテレビ番組とインターネットコンテンツの双方を受信する。図７に示すように、ＰＶＲ１０は、入力インターフェイス（たとえばＩＲセンサ）１２、ＭＰＥＧ２エンコーダ１４、ハードディスクドライブ１６、ＭＰＥＧ２デコーダ１８、コントローラ２０、ウェブブラウザ２２、ビデオプロセッサ２４、メモリ２６、再生部２８を有する。コントローラ２０は、検出装置１０の全体の動作、すなわち視聴モード、記録モード、再生モード、パーソナルビデオレコーダに一般的なその他のモードを制御する。第２実施形態の構成および動作は、図３と関連して述べたものと基本的に同じであるが、ＰＶＲ１０がインターネットコンテンツを受信するためのウェブブラウザ２２を有する点で第１実施形態と異なる。したがって、図３を参照してすでに説明した構成要素および機能については、重複を避けるためにここでは省略する。
【００２１】
視聴モードでは、コントローラ２０はケーブルサービスプロバイダから到来する信号を変調し、オーディオ／ビデオプロセッサ２４でテレビセット２での表示用に処理する。ビデオプロセッサ２４は、入力信号に基づいてユーザが選択したチャンネルに合わせ、選択された信号をテレビセット２での表示に適したベースバンドテレビ信号に変換する。ユーザが特定の番組をそれに関連するウェブコンテンツとともに記録する記録要求を出すと、コントローラ２０は、ユーザがテレビ放送装置８から選択した番組の部分をメモリ２６に格納する。なお、周知のＥＰＧ（電子番組表）プロトコルにしたがって、インターネットコンテンツのダウンロード要求が自動的にトリガされる。同時に、コントローラ２０は、ウェブブラウザ２２にウェブ接続させ、サーバから対応するウェブ情報をダウンロードさせて、ダウンロードしたウェブ情報をメモリ２６に格納する。これら双方の情報にタイムスタンプを押すことにより、後に再同期をとって表示することができる。ユーザが、録画したテレビ番組と同時配信のエンハンスドウェブプログラムを一緒に再生したい場合は、コントローラ２０は、再生部２８に、テレビ番組とこれに同期されたウェブコンテンツの両方を、メモリ２６から検索させる。このようにして、ユーザは録画されたテレビ番組を見ながら、エンハンスドウェブプログラムに参加することができる。
【００２２】
図８は、本発明の第３実施形態を示す。第３実施形態では、ＰＶＲ１０は放送されるテレビ番組を受信し、ＰＶＲ１０に接続されたテレビセット２が、インターネットコンテンツを受信する。図９を参照すると、ＰＶＲ１０は、ＰＶＲ１０は、入力インターフェイス（たとえばＩＲセンサ）１２、ＭＰＥＧ２エンコーダ１４、ハードディスクドライブ１６、ＭＰＥＧ２デコーダ１８、コントローラ２０、ＴＶインターフェイス２２、ビデオプロセッサ２４、メモリ２６、再生部２８を有する。コントローラ２０は、検出装置１０の全体の動作、すなわち視聴モード、記録モード、再生モード、パーソナルビデオレコーダに一般的なその他のモードを制御する。第３実施形態の構成および動作は、図７と関連して述べたものと基本的に同じであるが、ウェブブラウザ機能を有するテレビセット２が直接インターネットコンテンツを受信する点で、第２実施形態と異なる。
【００２３】
ユーザが選択した番組の格納要求を受け取ると、コントローラ２０は選択された番組をメモリ２６に格納し、これと同時に、テレビセット２をウェブ接続させて関連するウェブ情報をダウンロードさせる。ダウンロードされたウェブ情報はＰＶＲ１０のメモリ２６に格納される。それぞれの情報にタイムスタンプが押され、後にこれらを再同期させて表示することができる。なお、ＰＶＲ１０は、周知のＥＰＧ（電子番組表）プロトコルに基づいてテレビセット２を自動的に起動し、インターネットコンテンツをダウンロードさせるようにプログラムされている。ＰＶＲ１０は、現在到来中のＴＶ信号が「エンハンスドプログラム」と同時送信されている旨を検出した場合は、検出結果に基づいてテレビセットが起動され、対応するウェブコンテンツをダウンロードする。後日、録画した番組をユーザが再生したい場合は、コントローラ２０は再生部２８に、メモリ２６からテレビ番組とこれに対応するインターネットコンテンツの双方を検索させる。
【００２４】
以上、テレビ番組とこれに関連する同時配信のウェブコンテンツの記録、再生方法および装置について、良好な実施形態に基づいて述べてきたが、当業者にとって、このシステムで達成される効果は明らかである。上記は、本発明を実施する例示としてのみ解釈される。当業者であれば、本発明の基本的な思想と範囲から逸脱することなく、上記実施形態と同様の機能を果たす別の構成が容易に想到できるはずである。
【図面の簡単な説明】
【００２５】
【図１】本発明の第１実施形態の構成を示す簡略ブロック図である。
【図２】図１に示す第１実施形態を簡易化した概略ブロック図である。
【図３】本発明の第１実施形態に係るパーソナルビデオレコーダの回路ブロック図である。
【図４】本発明の一実施形態に係るコンピュータシステムの回路構成図である。
【図５】本発明の一実施形態に係る動作を示すフローチャートである。
【図６】本発明の第２実施形態の構成を示す簡略ブロック図である。
【図７】本発明の第２実施形態の回路ブロック図である。
【図８】本発明の第３実施形態の構成を示す簡略ブロック図である。
【図９】本発明の第３実施形態の回路ブロック図である。
【図１】
2004529588.tif 000003
【図２】
2004529588.tif 000004
【図３】
2004529588.tif 000005
【図４】
2004529588.tif 000006
【図５】
2004529588.tif 000007
【図６】
2004529588.tif 000008
【図７】
2004529588.tif 000009
【図８】
2004529588.tif 000010
【図９】
2004529588.tif 000011
【国際公開パンフレット】
2004529588.tif 000012
2004529588.tif 000013
2004529588.tif 000014
2004529588.tif 000015
2004529588.tif 000016
2004529588.tif 000017
2004529588.tif 000018
2004529588.tif 000019
2004529588.tif 000020
2004529588.tif 000021
2004529588.tif 000022
2004529588.tif 000023
2004529588.tif 000024
2004529588.tif 000025
2004529588.tif 000026
2004529588.tif 000027
2004529588.tif 000028
2004529588.tif 000029
2004529588.tif 000030
2004529588.tif 000031
【国際公開パンフレット（コレクトバージョン）】
2004529588.tif 000032
【国際調査報告】
2004529588.tif 000033
2004529588.tif 000034
2004529588.tif 000035